(57)【要約】【課題】経時により寸法が変化しにくく、軸筒とキャップの嵌合力の低下、及びキャップ内の気密性が低下しにくいキャップ式筆記具を提供する。【解決手段】把持部に弾性体からなるグリップ部材を装着してなる軸筒の外壁に形成した突部と、該突部に対向するキャップの内壁に形成した凸部とが、乗り越し嵌合することにより、軸筒の把持部を覆うようにキャップを着脱自在に装着してなるキャップ式筆記具において、前記グリップ部材の後端部に、対向するキャップの開口部の内径より大径とした膨出部を形成し、該膨出部にキャップの開口部が圧入嵌合する。【選択図】        図１
2004351728.tif 000002
【特許請求の範囲】
【請求項１】
把持部に弾性体からなるグリップ部材を装着してなる軸筒の外壁に形成した突部と、該突部に対向するキャップの内壁に形成した凸部とが、乗り越し嵌合することにより、軸筒の把持部を覆うようにキャップを着脱自在に装着してなるキャップ式筆記具において、前記グリップ部材の後端部に、対向するキャップの開口部の内径より大径とした膨出部を形成し、該膨出部にキャップの開口部が圧入嵌合することを特徴とするキャップ式筆記具。
【請求項２】
軸筒の外壁に形成した突部が、前記グリップ部材の後端部に形成した膨出部の近傍に窓部を形成し、該窓部から突出させてなることを特徴とする請求項１に記載のキャップ式筆記具。
【発明の詳細な説明】
【０００１】
【発明の属する技術分野】
本発明は、軸筒にキャップを着脱自在に装着してなるキャップ式筆記具に関する。
【０００２】
【従来の技術】
従来から、軸筒の外壁に形成した突部と、該突部に対向するキャップの内壁に形成した凸部とが、乗り越し嵌合することにより、軸筒にキャップを着脱自在に装着してなるキャップ式筆記具はよく知られている。また、軸筒の把持部に弾性体を装着し、この弾性体を被覆するようにキャップを装着してなるキャップ式筆記具もよく知られいて、特開２００１−３２８３９２号「筆記具」にて開示されている。
【０００３】
こうしたキャップ式筆記具は、軸筒とキャップを乗り越し嵌合するだけでなく、軸筒の把持部に装着した弾性体より後端側の軸筒に、段部や突起部を形成し、この段部や突起部の外径を、キャップの開口部の内径より大きくして、圧入嵌合することにより、キャップが軸筒に対して横ぶれを起こさないようにするとともに、軸筒とキャップの乗り越し嵌合の補助的な役割も果たしている。また、段部や突起部が周状に連続的に形成してあれば、キャップ内の気密性も確保できる。
【０００４】
【特許文献１】
「特開２００１−３２８３９２号公報」
【０００５】
【発明が解決しようとする課題】
しかし、従来の低価格のキャップ式筆記具は、軸筒及び／又はキャップを樹脂材料で形成しているため、繰り返しキャップの着脱を行うため、経時によって、軸筒の外壁に形成した突部と、キャップの内壁に形成した凸部が擦り減る等、寸法変化が生じやすく、その結果、軸筒とキャップの嵌合力の低下してしまう恐れがあった。同様に、キャップの内壁及び軸筒の突起部も経時により寸法変化が生じ、圧入力も低下するため、嵌合力の低下を防止しにくく、気密性も低下する。
【０００６】
そのため、軸筒とキャップが圧入力を増加するため、ラップする部分を多く設定し、経時による寸法変化が起こっても、キャップ内部の気密性を確保することも考えらるが、初期の軸筒へのキャップの装着性が著しく低下するとともに、酷い場合には、軸筒及び／又はキャップにひび割れが発生してしまう恐れがあった。
【０００７】
本発明は上記問題を鑑み、経時により寸法が変化しにくく、軸筒とキャップの嵌合力の低下、及びキャップ内の気密性が低下しにくいキャップ式筆記具を提供するものである。
【０００８】
【課題を解決するための手段】
前記目的を達成するために本発明では、把持部に弾性体からなるグリップ部材を装着してなる軸筒の外壁に形成した突部と、該突部に対向するキャップの内壁に形成した凸部とが、乗り越し嵌合することにより、軸筒の把持部を覆うようにキャップを着脱自在に装着してなるキャップ式筆記具において、前記グリップ部材の後端部に、対向するキャップの開口部の内径より大径とした膨出部を形成し、該膨出部にキャップの開口部が圧入嵌合する。
【０００９】
また、軸筒の外壁に形成した突部が、前記グリップ部材の後端部に形成した膨出部の近傍に窓部を形成し、該窓部から突出させる。
【００１０】
本発明の弾性体は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよい。
【００１１】
【発明の実施の形態】
本発明の実施の形態を、図面を用いて説明する。
図１から図３に示すキャップ式筆記具１は、図示はしていないが、インキ収容筒９の先端部に、ボールを回転自在に抱持したボールペンチップからなるペン先部１１を、チップホルダー１０を介して装着したボールペンレフィルを軸筒５内に収容してある。キャップ２には、ペン先部１１の先端を密閉する弾性体４を配設し、軸筒５の外壁に形成した複数の突部６と、キャップ２の内壁に形成した周状の凸部２ｂを乗り越し嵌合することにより、軸筒５に対し、キャップ２を着脱自在に装着してなるキャップ式の筆記具である。キャップ２にはクリップ３が一体に形成してある。
【００１２】
軸筒５の把持部５ａは、他の軸筒より小径に形成してあり、この小把持部５ｂに弾性体からなるグリップ部材７を装着してある。この時、グリップ部材７を軸筒５に装着した状態で、グリップ部材７の後端部に、キャップ２の開口部２ａの内径Ｍより大きい外径Ｍを有する膨出部８が形成されるように、把持部５ａの後端部に突状部５ｂを形成してある。また、膨出部８以外のグリップ部材の外径は、キャップの開口部２ａの内径Ｍより小径に形成してある。
【００１３】
また、軸筒５の外壁に形成した複数の突部６は、グリップ部材７の後端部に形成した窓部７ａから突出させることにより、キャップ２の内壁に形成した複数の凸部２ｂと乗り越し嵌合可能なようにしてある。グリップ部材７の後端部に形成した窓部７ａから軸筒５の外壁に形成した複数の突部６を突出させることにより、膨出部８近傍で、軸筒５とキャップ２の乗り越し嵌合が可能となり、経時によって、軸筒５の外壁に形成した突部６と、キャップ２の内壁に形成した凸部２ｂが擦り減る等、寸法変化が生じても、膨出部８とキャップの開口部２ａとの圧入嵌合をスムーズに行うことができる。
【００１４】
軸筒５にキャップ２を装着するには、軸筒５の外壁に形成した突部６と、キャップ２の内壁に形成した凸部２ｂが、乗り越し嵌合を開始し、その後、キャップ２の開口部２ａが、グリップ部材７の後端部に形成した膨出部８に当接する。さらに嵌合が進むと、キャップ２の開口部２ａと膨出部８との圧入嵌合が開始され、乗り越し嵌合を終了と同時に圧入嵌合も終了する。
【００１５】
キャップの開口部２ｂと膨出部８との圧入嵌合を、弾性変形可能な弾性体で形成することにより、経時による寸法変化が少なく、軸筒５の外壁に形成した突部６と、キャップ２の内壁に形成した凸部２ｂの乗り越し嵌合の嵌合力が低下しても、圧入力が低下し難いため、容易に抜け落ちたり、横ぶれが発生しにくい。また、樹脂と樹脂の圧入嵌合に比べ、樹脂と弾性体のほうが気密性は高いので、キャップ内の気密性を確実に得ることができる。また、膨出部の形成方法は、実施の形態のように、膨出部に対向する軸筒に突状部を形成してもよいし、グリップ部材の膨出部に対応する部分の肉厚を多くしてあってもよい。
【００１６】
また、乗り越し嵌合前に圧入嵌合が開始されると、乗り越し嵌合時に、筆記先端部内へ空気が進入する等の悪影響を及ぼす恐れがあり、乗り越し嵌合後に圧入嵌合が開始されると、経時によって、軸筒の外壁に形成した突部と、キャップの内壁に形成した凸部が擦り減る等、寸法変化が生じ場合に、圧入嵌合がスムーズに行われない恐れがあるので、弾性体の膨出部とキャップの開口部は、軸筒の突部とキャップの凸部との乗り越し嵌合の開始と同時又は途中で圧入を開始し、乗り越し嵌合の終了と同時に圧入嵌合を終了することが好ましい。
【００１７】
また、本実施の形態では、便宜上、筆記体としてボールペンレフィルを用いたが、ペン先部の材質や形状、使用する筆記具用インキ等に限定されることなく用いることができる。
【００１８】
【発明の効果】
本発明は、前述した構成なので、経時により寸法が変化しにくく、軸筒とキャップの嵌合力の低下、及びキャップ内の気密性が低下しにくいキャップ式筆記具を提供することができた。
【図面の簡単な説明】
【図１】第１の実施の形態のキャップ式筆記具を示す、一部省略した縦断面図である。
【図２】図１におけるキャップを示す、縦断面図である。
【図３】図１における軸筒を示す、一部省略した縦断面図である。
【符号の説明】
１  キャップ式筆記具
２  キャップ
２ａ  開口部
３  クリップ
４  凸部
５  弾性体
６  軸筒
７  グリップ部材
８  膨出部
９  インキ収容筒
１０  チップホルダー
１１  筆記先端部
Ｌ  キャップの開口部の内径
Ｍ  グリップ部材の膨出部の外径
【図１】
2004351728.tif 000003
【図２】
2004351728.tif 000004
【図３】
2004351728.tif 000005